(57)【特許請求の範囲】
【請求項１】
少なくとも１つ以上の照射面から照射される光を光学素子により一部反射させて光学的情報に投光させる投光手段と、前記光学的情報からの反射光の前記光学素子を透過した光を受光して結像する結像手段と、前記結像手段により結像された前記光学的情報の画素情報を電気信号に変換するイメージセンサとを備え、前記結像手段の光軸に対して光学的情報がマーキングされた読み取り面が略垂直となり、前記投光手段は、前記読み取り面に対して全反射する光が前記結像手段の読み取り視野の少なくとも中央部全域を照明するように前記照射面を配置し、前記投光手段の照射面に光を拡散させる拡散体を配置し、前記拡散体と前記光学素子は、読み取り開口部を有した先端ケースに取付けられた光学的情報読取装置。
【請求項２】
少なくとも１つ以上の照射面から照射される光の一部を光学素子により反射させて光学的情報に投光させ、かつ前記光の別の一部を直接前記光学的情報に投光させる投光手段と、前記光学的情報からの反射光の前記光学素子を透過した光を受光して結像する結像手段と、前記結像手段により結像された前記光学的情報の画素情報を電気信号に変換するイメージセンサとを備え、前記結像手段の光軸に対して光学的情報がマーキングされた読み取り面が略垂直となり、前記投光手段は、前記読み取り面に対して全反射する光が前記結像手段の読み取り視野の少なくとも中央部全域を照明するように前記照射面を配置し、前記投光手段の照射面に光を拡散させる拡散体を配置し、前記拡散体と前記光学素子は、読み取り開口部を有した先端ケースに取付けられた光学的情報読取装置。
【請求項３】
少なくとも１つ以上の照射面から照射される光の一部を光学素子により反射させて光学的情報に投光させ、かつ前記光の別の一部を直接前記光学的情報に投光させる投光手段と、前記光学的情報からの反射光の前記光学素子を透過した光を受光して結像する結像手段と、前記結像手段により結像された前記光学的情報の画素情報を電気信号に変換するイメージセンサとを備え、前記結像手段の光軸に対して光学的情報がマーキングされた読み取り面が略垂直となり、前記投光手段は、前記読み取り面に対して全反射する光が前記結像手段の読み取り視野の少なくとも中央部全域を照明するように前記照射面を配置し、前記投光手段の照射面に光を拡散させる拡散体を配置し、前記光学素子の反射率は透過率より大きい光学的情報読取装置。
【発明の詳細な説明】
【０００１】
【発明の属する技術分野】
この発明は、バーコード、２次元コード等の光学的情報を読み取る光学的情報読取方法および読取装置に関するものである。
【０００２】
【従来の技術】
バーコード、２次元コード等の光学的情報を読み取る光学的情報読み取り装置は、投光手段からの照明光を光学的情報にあて、その反射光をレンズ等の結像手段によりイメージセンサ上に結像させ、結像された光学的情報の画像データはイメージセンサにより電気信号に変換して、イメージセンサが電気的に接続された回路基板により信号処理する。
【０００３】
従来、光学的情報読み取り装置の投光手段は、図１８と図１９に示すように発光ダイオード等の光源１０１を、結像手段１０２の視野１０３の周辺に配置して、照明光を光学的情報手段に投光させる。
【０００４】
【発明が解決しようとする課題】
近年、バーコード、２次元コード等の光学的情報は、ガラス基板等の工業部品へもマーキングされ、工場の工程管理、品質管理に活用されている。ガラス基板に対してレーザービームで表面を粗らくすることによりダイレクトマーキングされた光学的情報は、紙に印刷された光学的情報に比べ、ガラス基板表面とマーキング処理された面のコントラストが低く、マーキングされた面を白く浮き上がらせようとすると、強い照明光を必要とする。また、ガラス基板が透明なために透過した背景の画像や、図２０に示すようなガラス表面で全反射した照明光源の像も、光学的情報を読みにくくさせる。
【０００５】
したがって、この発明の目的は、ガラス基板表面とマーキング処理された面のコントラストが高く光学的情報を読み取り易い光学的情報読取方法および読取装置を提供することである。
【００１２】
【課題を解決するための手段】
請求項１記載の光学的情報読取装置は、少なくとも１つ以上の照射面から照射される光を光学素子により一部反射させて光学的情報に投光させる投光手段と、光学的情報からの反射光の光学素子を透過した光を受光して結像する結像手段と、結像手段により結像された光学的情報の画素情報を電気信号に変換するイメージセンサとを備え、結像手段の光軸に対して光学的情報がマーキングされた読み取り面が略垂直となり、投光手段は、読み取り面に対して全反射する光が結像手段の読み取り視野の少なくとも中央部全域を照明するように照射面を配置し、前記投光手段の照射面に光を拡散させる拡散体を配置し、前記拡散体と前記光学素子は、読み取り開口部を有した先端ケースに取付けられたものである。
【００１３】
このように構成した光学的情報読取装置では、投光された照明光は、結像手段の光軸に対して垂直位置にある、ガラス基板等の読み取り面にマーキングされた光学的情報に対して、投光手段により照明光を投光すると、少なくとも結像手段の視野の中央部においてマーキング処理されていないすべての読み取り面は全反射し、結像手段に入射する反射光は極めて強く、マーキング処理された面は粗いため乱反射し、結像手段に入射する反射光は弱くなる。そのため、イメージセンサには、マーキング処理されていない読み取り面は明るく、マーキング処理された面は暗いコントラストの良い画像が結像される。また、読み取り面が結像手段の光軸に略垂直である時、結像手段と読み取り面の距離によらず常に読み取り視野の中央部全体が全反射することにより読み取り可能な領域を大きくすることができる。また、投光手段の照射面に光を拡散させる拡散体を配置し、拡散体と光学素子は、読み取り開口部を有した先端ケースに取付けられたので、先端ケースを着脱して投光方法を切り替えることができる。
【００１４】
請求項２記載の光学的情報読取装置は、少なくとも１つ以上の照射面から照射される光の一部を光学素子により反射させて光学的情報に投光させ、かつ光の別の一部を直接光学的情報に投光させる投光手段と、光学的情報からの反射光の光学素子を透過した光を受光して結像する結像手段と、結像手段により結像された光学的情報の画素情報を電気信号に変換するイメージセンサとを備え、結像手段の光軸に対して光学的情報がマーキングされた読み取り面が略垂直となり、投光手段は、読み取り面に対して全反射する光が結像手段の読み取り視野の少なくとも中央部全域を照明するように照射面を配置し、前記投光手段の照射面に光を拡散させる拡散体を配置し、前記拡散体と前記光学素子は、読み取り開口部を有した先端ケースに取付けられたものである。
【００１５】
このように構成した光学的情報読取装置では、投光された照明光は、結像手段の光軸に対して垂直位置にある、ガラス基板等の読み取り面にマーキングされた光学的情報に対して、投光手段により照明光を投光すると、少なくとも結像手段の視野の中央部においてマーキング処理されていないすべての読み取り面は全反射し、結像手段に入射する反射光は極めて強く、マーキング処理された面は粗いため乱反射し、結像手段に入射する反射光は弱くなる。そのため、イメージセンサには、マーキング処理されていない読み取り面は明るく、マーキング処理された面は暗いコントラストの良い画像が結像される。また、読み取り面が結像手段の光軸に略垂直である時、結像手段と読み取り面の距離によらず常に読み取り視野の中央部全体が全反射することにより読み取り可能な領域を大きくすることができる。また、全反射する光の一部は、投光手段からの直接出た光であるため光学素子の面積を小さくすることができる。また、投光手段の照射面に光を拡散させる拡散体を配置し、拡散体と光学素子は、読み取り開口部を有した先端ケースに取付けられたので、先端ケースを着脱して投光方法を切り替えることができる。
【００１８】
請求項３記載の光学的情報読取装置は、少なくとも１つ以上の照射面から照射される光の一部を光学素子により反射させて光学的情報に投光させ、かつ光の別の一部を直接光学的情報に投光させる投光手段と、光学的情報からの反射光の光学素子を透過した光を受光して結像する結像手段と、結像手段により結像された光学的情報の画素情報を電気信号に変換するイメージセンサとを備え、結像手段の光軸に対して光学的情報がマーキングされた読み取り面が略垂直となり、投光手段は、読み取り面に対して全反射する光が結像手段の読み取り視野の少なくとも中央部全域を照明するように照射面を配置し、光学素子の反射率は透過率より大きい。このように、光学素子の反射率は透過率より大きいので、拡散体の全面から出て光学素子により反射して投光する光と、拡散体から出て直接投光する光の強さの差を抑えることができる。
【００２０】
【発明の実施の形態】
この発明の参考例１を図１〜図６に基づいて説明する。図１はこの発明の参考例１の光学的情報読取装置を示す一部破断側面図、図２は参考例１の光学的情報読取装置を示す斜視図である。
【００２１】
図１および図２に示すように、光学的情報読取装置１は、読み取り開口部４を有するケース２と、少なくとも１つ以上の照射面から照射される光を読み取り開口部４から光学的情報に投光させる投光手段と、光学的情報からの反射光を受光して結像する結像手段と、結像手段により結像された光学的情報の画素情報を電気信号に変換するイメージセンサ１０とを備えている。この場合、外観上、外装ケース２の前方部に、バーコード、２次元コード等の光学的情報３を読み取るための読み取り開口部４を、外装ケース２の後方部に、操作者が手で握るための把持部５を、外装ケース２の後端に、光学的情報３からのデータをホストコンピュータに転送するためのケーブル６の取り出し口を配置している。
【００２２】
外装ケース２の内部には、光学的情報３に光を照射する投光手段として、照明光の光源である２次元的に配列した複数の発光ダイオード７と、発光ダイオード７からの光を拡散させる平板状の拡散体８と、光学的情報３からの反射光を結像する結像手段としてレンズ９と、レンズ９の結像位置に配置して２次元的に配列した受光素子を持ち結像された光学的情報３の画像情報を電気信号に変換するイメージセンサ１０と、イメージセンサ１０と電気的に接続し、画像情報を変換した電気信号に対し信号処理を行い、ケーブル６を介して信号処理したデータをホストコンピュータに転送する回路基板１１とが組み込まれている。
【００２３】
レンズ９のイメージセンサ１０上に結像される画像の解像度が最も良い合焦位置Ａは外装ケース２の読み取り開口部４の近傍にある。光学的情報３はガラス基板１２の平滑な表面をレーザビームで粗くすることによりダイレクトマーキングしたのもである。光学的情報３を覆うように開口部４の開口縁１３をガラス基板１２に当接させる、または、図１に示すように僅かに浮かせた状態では、光学的情報３はレンズ９の合焦位置Ａの近傍にあり、イメージセンサ１０上に解像度の良い画像が結像される。
【００２４】
また、開口縁１３をガラス基板１２に当接させる、または、僅かに浮かせた状態、即ち、ガラス基板１２の表面がレンズ９の合焦位置Ａの近傍で、開口縁１３に略平行な状態で、投光手段の拡散体８は、この拡散体８の全面から光学的情報がマーキングされた読み取り面に対してレンズ９に全反射する光Ｂが、レンズ９の視野Ｃの中央部全域を照明するように配置されている。
【００２５】
このような構成において作用を説明する。図３は参考例１の光学的情報読取装置の読み取り視野と全反射領域の説明図、図４は参考例１の光学的情報読取装置を傾けた時の読み取り状態を示す説明図、図５および図６は参考例１の光学的情報読取装置の読み取り視野と全反射領域の説明図である。
【００２６】
図１に示すように、光学的情報３を覆うように開口部４の開口縁１３をガラス基板１２に当接させる、または、僅かに浮かせた状態で光学的情報３を覆うと、発光ダイオード７からの光は拡散体８の全面で拡散され、光学的情報３のマーキングされたガラス基板１２に投光される。ガラス基壌１２からの反射した光は、レンズ９によりイメージセンサ１０上に図３に示すように画像として結像される。拡散体８の全面からレンズ９に対してガラス基板１２の平滑な表面で全反射する光Ｂは、図３の２点鎖線で囲まれた全域、即ちレンズ９の視野Ｃの中央部で極めて明るく結像し、視野Ｃの中央に置かれた光学的情報３はレーザービームで表面が粗くなっているため乱反射して暗く結像する。結像した画像は、イメージセンサ１０の２次元的に配列した受光素子が電気信号に変換し、イメージセンサ１０と電気的に接続した回路基板１１が画像情報を変換した電気信号に対し信号処理を行い、ケーブル６を介して信号処理したデータをホストコンピュータに転送する。
【００２７】
光学的情報読取装置１は、図４に示すように、ガラス基板に対して開口縁１３が平行な状態から、少し傾いた姿勢においても、全反射する光Ｂの領域は、視野Ｃの中央からずれるが、図５に示すように、視野Ｃの中に残る。このように、操作者は光学的情報を覆うように開口縁を読み取り面に当接させる、または、僅かに浮かせた状態にすると、簡単に、最適な照明状態にすることができる。拡散体８の面積をさらに大きくして、図６に示すように全反射する光Ｂの領域を視野Ｃより大きくすると、光学的情報読み取り装置１は少し傾いた状態においても、視野Ｃの全域で全反射する領域であり、読み取りし易くなる。
【００２８】
また、ガラス基板が透明なために透過した背景の画像は読み取り平面の全反射による反射光に比べ微小であるため無視できる。
【００２９】
以上のようにこの参考例１によれば、少なくとも結像手段の視野の中央部において、マーキング処理されていない読み取り面は全反射し、結像手段に入射する反射光は極めて強く、マーキング処理された面は粗いため乱反射し、結像手段に入射する反射光は弱くなる。そのため、イメージセンサには、マーキング処理されていない読み取り面は明るく、マーキング処理された面は暗いコントラストの良い画像が結像される。
【００３０】
この発明の参考例２を図７〜図１２に基づいて説明する。図７はこの発明の参考例２の光学的情報装置を示す斜視図、図８は参考例２の光学的情報読取装置を示す一部破断側面図である。
【００３１】
図７および図８に示すように、光学的情報読取装置１４は、読み取り開口部１７を有するケース１５と、少なくとも１つ以上の照射面から照射される光を光学素子により一部反射させて光学的情報に投光させる投光手段と、光学的情報からの反射光の光学素子を透過した光を受光して結像する結像手段と、結像手段により結像された光学的情報の画素情報を電気信号に変換するイメージセンサ２４とを備えている。この場合、外観上、外装ケース１５の前方部に、バーコード、２次元コード等の光学的情報１６を読み取るための読み取り開口部１７を、外装ケース１５の後方部に、操作者が手で握るための把持部１８を、外装ケース１５の後端に、光学的情報３からのデータをホストコンピュータに転送するためのケーブル１９の取り出し口を配置している。
【００３２】
外装ケース１５の内部には、光学的情報１６に光を照射する投光手段として、照明光の光源である２次元的に配列した複数の発光ダイオード２０と、発光ダイオード２０からの光を拡散させる平板状の拡散体２１と、拡散体２１からの光の一部を反射させる光学素子であるハーフミラー２２と、光学的情報１６からの反射光のハーフミラー２２を透過した光を結像する結像手段としてのレンズ２３と、レンズ２３の結像位置に配置して２次元的に配列した受光素子を持ち結像された光学的情報１６の画像情報を電気信号に変換するイメージセンサ２４と、イメージセンサ２４と電気的に接続し、画像情報を変換した電気信号に対し信号処理を行い、ケーブル１９を介して信号処理したデータをホストコンピュータに転送する回路基板２５とが組み込まれている。
【００３３】
また、結像手段の光軸に対して光学的情報がマーキングされた読み取り面が略垂直となり、投光手段は、読み取り面に対して全反射する光が結像手段の読み取り視野の少なくとも中央部全域を照明するように照射面となるハーフミラー２２を配置した。
【００３４】
このような構成において作用を説明する。図９は参考例２の光学的情報読取装置の読み取り視野と全反射領域の説明図、図１０は参考例２の光学的情報読取装置を浮上させた時の読み取り状態を示す説明図である。
【００３５】
図８に示すように、ガラス基板２６の平滑な表面をレーザビームで粗くすることによりダイレクトマーキングした光学的情報１６に対して、ガラス基板２６がレンズ２３の光軸Ｄと略垂直になるように、開口部１７を対向させると、発光ダイオード２０からの光は拡散体２１の全面で拡散され、ハーフミラー２２により一部が反射して光学的情報１６がマーキングされたガラス基板２６に投光される。ガラス基板２６からの反射した光は、ハーフミラー２２を透過してレンズ２３によりイメージセンサ２４上に図９に示すように画像として結像される。拡散体２１の全面から出てハーフミラー２２により反射してレンズ２３に対してガラス基板２６の平滑な表面で全反射する光Ｅは、レンズ２３の視野Ｆの中央部全域で極めて明るく結像し、視野Ｆの中央に置かれた光学的情報１６はレーザービームで表面が粗くなっているため乱反射して暗く結像する。結像した画像は、イメージセンサ２４の２次元的に配列した受光素子が電気信号に変換し、イメージセンサ２４と電気的に接続した回路基板１１が画像情報を変換した電気信号に対し信号処理を行い、ケーブル１９を介して信号処理したデータをホストコンピュータに転送する。
【００３６】
図１０に示すようにガラス基板２６を、レンズ２３の光軸Ｄに略垂直に、開口部１７からさらに離しても、全反射する光Ｅの領域は視野Ｆの中央部にある。このように、読み取り平面が結像手段の光軸に略垂直である時、結像手段と読み取り平面の距離によらず常に読み取り視野の中央部全体が全反射することより読み取り可能な領域を大きくすることができる。
【００３７】
図１１は参考例２の変形例に用いる面光源の一形態を示す斜視図、図１２は参考例２の変形例の光学的情報読取装置を示す一部破断斜視図である。投光手段としては、発光ダイオード２０と拡散体２１の代わりに、図１１に示すようなフィルムでパッケージされた蛍光体粉末に交流電圧を印加して発光させる面光源２１ａを用いると、図１２のように配置して投光部を小型にすることができる。
【００３８】
以上のようにこの参考例２でも参考例１と同様の作用効果が得られる。さらに、読み取り平面が結像手段の光軸に略垂直である時、結像手段と読み取り平面の距離によらず常に読み取り視野の中央部全体が全反射することにより読み取り可能な領域を大きくすることができる。
【００３９】
この発明の第１の実施の形態を図１３〜図１７に基づいて説明する。図１３はこの発明の第１の実施の形態の光学的情報読取装置を示す斜視図、図１４は第１の実施の形態の光学的情報読取装置を示す一部破断側面図、図１５は第１の実施の形態の先端カバーの着脱の説明図である。
【００４０】
図１３および図１４に示すように、光学的情報読取装置２７は、読み取り開口部３０を有するケース２８と、少なくとも１つ以上の照射面から照射される光の一部を光学素子により反射させて光学的情報に投光させ、かつ光の別の一部を直接光学的情報に投光させる投光手段と、光学的情報からの反射光の光学素子を透過した光を受光して結像する結像手段と、結像手段により結像された光学的情報の画素情報を電気信号に変換するイメージセンサ３９とを備えている。この場合、外観上、外装ケース２８の前方部に、バーコード、２次元コード等の光学的情報２９を読み取るための読み取り開口部３０を有した先端ケース３１を、外装ケース２８の後方部に、操作者が手で握るための把持部３２を、外装ケース２８の後端に、光学的情報２９からのデータをホストコンピュータに転送するためのケーブル３３の取り出し口を配置している。
【００４１】
外装ケース２８の内部には、光学的情報２９に光を照射する投光手段として、照明光の光源である複数の発光ダイオード３４，３５と、発光ダイオード３４、３５からの光を拡散させる拡散体３６と、拡散体３６からの光の一部を反射させる光学素子であるハーフミラー３７と、光学的情報２９からの反射光のハーフミラー３７を透過した光を結像する結像手段としてのレンズ３８と、レンズ３８の結像位置に配置して２次元的に配列した受光素子を持ち結像された光学的情報２９の画像情報を電気信号に変換するイメージセンサ３９と、イメージセンサ３９と電気的に接続し、画像情報を変換した電気信号に対し信号処理を行い、ケーブル３３を介して信号処理したデータをホストコンピュータに転送する回路基板４０とが組み込まれている。
【００４２】
発光ダイオード３５と拡散体３６とハーフミラー３７は、先端カバー３１に取り付けられている。図１５に示すように先端カバー３１の孔４１を外装ケース２８の凸部４２から外し、発光ダイオード３５に対する電源ケーブルの中継コネクタ４３を外すことより、先端カバー３１は外装ケース２８から取り外すことができる。
【００４３】
また、結像手段の光軸に対して光学的情報がマーキングされた読み取り面が略垂直となり、投光手段は、読み取り面に対して全反射する光が結像手段の読み取り視野の少なくとも中央部全域を照明するように照射面となる拡散体３６、ハーフミラー３７を配置した。
【００４４】
このような構成において作用を説明する。図１６は第１の実施の形態の光学的情報読取装置の読み取り視野と全反射領域の説明図、図１７は第１の実施の形態の投光手段の切り替えの説明図である。
【００４５】
図１４に示すように、ガラス基板４４の平滑な表面をレーザビームで粗くすることによりダイレクトマーキングした光学的情報２９に対して、ガラス基板４４がレンズ３８の光軸Ｇと略垂直になるように、開口部３０を対向させると、発光ダイオード３４、３５からの光は拡散体３６の全面で拡散され、その一部は、ハーフミラー３７により反射して、また別の一部は拡散体３６から出て直接光学的情報２９がマーキングされたガラス基板４４に投光される。ガラス基板４４からの反射した光は、ハーフミラー３７を透過してレンズ３８によりイメージセンサ３９上に図１６に示すように画像として結像される。拡散体３６の全面から出てハーフミラー３７により反射して、または、拡散体３６から直接出て、レンズ３８に対してガラス基板４４の平滑な表面で全反射する光Ｈは、レンズ３８の視野Ｉの中央部全域で極めて明るく結像し、視野Ｉの中央に置かれた光学的情報２９はレーザービームで表面が粗くなっているため乱反射して暗く結像する。結像した画像は、イメージセンサ３９の２次元的に配列した受光素子が電気信号に変換し、イメージセンサ３９と電気的に接続した回路基板４０が画像情報を変換した電気信号に対し信号処理を行い、ケーブル３３を介して信号処理したデータをホストコンピュータに転送する。
【００４６】
全反射する光の一部は、拡散体３６からの直接出た光であるため、ハーフミラー３７の面積を小さくすることができ、投光部を小さくすることができる。
【００４７】
また、先端ケース３１と先端ケース３１に取り付けられている発光ダイオード３５と拡散体３６とハーフミラー３７を外装ケース２８から取り外し、図１７に示すように、別の先端ケース４５と無色透明の板である防塵窓４６を外装ケース２８に取り付けると、投光は発光ダイオード３４から直接投光することになり、表面で乱反射しやすい普通紙などに印刷された光学的情報に対しては、照明範囲が広く、ハーフミラー３７による光の損失のないことから優れる。このように、光学的情報のマーキングの方法とマーキングされるメデイアの違いにより、先端ケース３１と先端ケース４５の交換により投光方法を切り換えることができる。このように、表面で乱反射しやすい普通紙などに印刷された光学的情報に対しては、発光ダイオードから直接投光することにより、照明範囲が広く、光学素子による光の損失のなくする等、光学的情報のマーキングの方法とマーキングされるメデイアの違いにより投光手段を選択できる。その他の構成効果は参考例２と同様である。
【００４８】
尚、先端ケース３１の開口部３０の内壁は、黒く、微小な凹凸を施し、内壁で照明光が反射することを極力おさえることで、光学的情報２９の乱反射光が増えること抑え、画像のコントラストを良くさせることができる。これは参考例１，２に同様に適用してもよい。
【００４９】
また、ハーフミラー３７は、反射率を透過率より高くして、拡散体３６の全面から出てハーウミラー３７により反射してガラス基板４４に投光する光と、拡散体３６から直接出てガラス基板４４に投光する光の強さの差を抑え、画像のむらをなくすことができる。
【００５３】
【発明の効果】
この発明の請求項１記載の光学的情報読取装置によれば、結像手段の光軸に対して略垂直に光学的情報がマーキングされた読み取り面が位置し、投光手段は、読み取り面に対して全反射する光が結像手段の読み取り視野の少なくとも中央部全域を照明するように照射面を配置し、投光手段の照射面に光を拡散させる拡散体を配置し、拡散体と光学素子は、読み取り開口部を有した先端ケースに取付けられたので、投光された照明光は、結像手段の光軸に対して垂直位置にある、ガラス基板等の読み取り面にマーキングされた光学的情報に対して、投光手段により照明光を投光すると、少なくとも結像手段の視野の中央部においてマーキング処理されていないすべての読み取り面は全反射し、結像手段に入射する反射光は極めて強く、マーキング処理された面は粗いため乱反射し、結像手段に入射する反射光は弱くなる。そのため、イメージセンサには、マーキング処理されていない読み取り面は明るく、マーキング処理された面は暗いコントラストの良い画像が結像される。また、読み取り面が結像手段の光軸に略垂直である時、結像手段と読み取り面の距離によらず常に読み取り視野の中央部全体が全反射することにより読み取り可能な領域を大きくすることができる。また、投光手段の照射面に光を拡散させる拡散体を配置し、拡散体と光学素子は、読み取り開口部を有した先端ケースに取付けられたので、先端ケースを着脱して投光方法を切り替えることができる。
【００５４】
この発明の請求項２記載の光学的情報読取装置によれば、結像手段の光軸に対して略垂直に光学的情報がマーキングされた読み取り面が位置し、投光手段は、読み取り面に対して全反射する光が結像手段の読み取り視野の少なくとも中央部全域を照明するように照射面を配置し、投光手段の照射面に光を拡散させる拡散体を配置し、拡散体と光学素子は、読み取り開口部を有した先端ケースに取付けられたので、請求項１と同様の作用効果が得られる。この場合、全反射する光の一部は、投光手段からの直接出た光であるため光学素子の面積を小さくすることができる。
【００５７】
この発明の請求項３記載の光学的情報読取装置によれば、結像手段の光軸に対して光学的情報がマーキングされた読み取り面が略垂直となり、投光手段は、読み取り面に対して全反射する光が結像手段の読み取り視野の少なくとも中央部全域を照明するように照射面を配置し、光学素子の反射率は透過率より大きいので、拡散体の全面から出て光学素子により反射して投光する光と、拡散体から出て直接投光する光の強さの差を抑え、画像のむらをなくすことができる。
【図面の簡単な説明】
【図１】この発明の参考例１の光学的情報読取装置を示す一部破断側面図である。
【図２】参考例１の光学的情報読取装置を示す斜視図である。
【図３】参考例１の光学的情報読取装置の読み取り視野と全反射領域の説明図である。
【図４】参考例１の光学的情報読取装置を傾けた時の読み取り状態を示す説明図である。
【図５】参考例１の光学的情報読取装置の読み取り視野と全反射領域の説明図である。
【図６】参考例１の光学的情報読取装置の読み取り視野と全反射領域の説明図である。
【図７】この発明の参考例２の光学的情報装置を示す斜視図である。
【図８】参考例２の光学的情報読取装置を示す一部破断側面図である。
【図９】参考例２の光学的情報読取装置の読み取り視野と全反射領域の説明図である。
【図１０】参考例２の光学的情報読取装置を浮上させた時の読み取り状態を示す説明図である。
【図１１】参考例２の変形例に用いる面光源の一形態を示す斜視図である。
【図１２】参考例２の変形例の光学的情報読取装置を示す一部破断斜視図である。
【図１３】この発明の第１の実施の形態の光学的情報読取装置を示す斜視図である。
【図１４】第１の実施の形態の光学的情報読取装置を示す一部破断側面図である。
【図１５】第１の実施の形態の先端カバーの着脱の説明図である。
【図１６】第１の実施の形態の光学的情報読取装置の読み取り視野と全反射領域の説明図である。
【図１７】第１の実施の形態の投光手段の切り替えの説明図である。
【図１８】従来例の説明図である。
【図１９】従来例の照明光源の配置を示す説明図である。
【図２０】従来例のガラス表面で全反射した照明光源の像を示す説明図である。
【符号の説明】
７，２０，３４，３５  発光ダイオード
８，２２，３６  拡散体
９，２３，３８  レンズ
２２，３７  ハーフミラー
１０，２４，３８  イメージセンサ
１１，２５，４０  回路基坂
Ａ  合焦位置
Ｂ，Ｅ，Ｈ  全反射する光
Ｃ，Ｆ，Ｉ  レンズの視野
Ｄ，Ｇ  光軸
【図１】
0003597751.tif 000002
【図２】
0003597751.tif 000003
【図３】
0003597751.tif 000004
【図４】
0003597751.tif 000005
【図５】
0003597751.tif 000006
【図６】
0003597751.tif 000007
【図７】
0003597751.tif 000008
【図８】
0003597751.tif 000009
【図９】
0003597751.tif 000010
【図１０】
0003597751.tif 000011
【図１１】
0003597751.tif 000012
【図１２】
0003597751.tif 000013
【図１３】
0003597751.tif 000014
【図１４】
0003597751.tif 000015
【図１５】
0003597751.tif 000016
【図１６】
0003597751.tif 000017
【図１７】
0003597751.tif 000018
【図１８】
0003597751.tif 000019
【図１９】
0003597751.tif 000020
【図２０】
0003597751.tif 000021